(57)【要約】【課題】本考案は天窓ブラインドを外付けし夏の太陽熱が部屋に入る前に遮断し冷房機器の省エネ効果を高める。又、部屋内部から天窓ブラインドの遮光板の開閉操作ができ、天窓ブラインド本体は取り付け取り外しが簡単にできるように外部電源を必要としない構造とする。【解決手段】本考案は天窓８に天窓ブラインド本体７を外付けし、開閉は部屋内部からリモコン１で行う。天窓ブラインド本体７はマイコン、モータードライブ回路、モーター、充電池を組込んだユニット４と太陽電池５を一体とし、外部電源を必要としない。又、天窓ブラインド本体７は留め付ノブ３で固定するため取り付け取り外しも簡単にできる。【選択図】図１
0003134385.tif 000002
【実用新案登録請求の範囲】
【請求項１】
天窓に天窓ブラインドを外側から付け、部屋内部からリモコンで天窓ブラインドを開閉でき、制御および開閉駆動に使用する電気は太陽電池と蓄電池で行う遮光及び採光ができることを特徴とした天窓ブラインド。
【考案の詳細な説明】
【技術分野】
【０００１】
本考案は天窓ブラインドに関するものである。
【背景技術】
【０００２】
従来からの天窓ブラインドは、手動による開閉ではブラインドを部屋内部に設置する必要があり操作も手動操作の棒や紐が必要であるため視覚的にも良くない、また夏の太陽熱は部屋に入ることになり省エネ効果が少なくなる欠点があった。自動によるブラインドの開閉では外部電源が必要であるため、電源工事が必要となる場合があり高価になる欠点がある。
【特許文献１】実開平０６−０５９５１６号公報
【考案の開示】
【考案が解決しようとする課題】
【０００３】
本考案の天窓ブラインドの課題は、天窓ブラインドは外部に設置でき、部屋内部から容易に開閉できる外部電源を必要としない低コストな省エネ天窓ブラインドを提供することにある。
【課題を解決するための手段】
【０００４】
本考案は上記の課題を解決する為に、天窓ブラインドをリモコンで開閉し、制御および駆動に使用する電気は太陽電池と蓄電池によりできることを特徴とする。
【考案の効果】
【０００５】
本考案の天窓ブラインドはリモコンで容易に開閉でき視覚的にもよい。夏の太陽熱は部屋に入る前に遮断できるので冷房器機の省エネになる。外部電源を必要としないので取り付けも簡単になる。
【考案を実施するための最良の形態】
【０００６】
リモコンで部屋内部から、天窓外側に取り付けた天窓ブラインドを開閉することが可能であり取り付け取り外しが容易にできる構造とするため天窓ブラインドは、リモコン受光部、マイコン、モータードライブ回路、モーター、充電池、太陽電池を組み込んだ構造とする。
【実施例】
【０００７】
以下、添付図面に従って一実施例を説明する。図１に示す如く、天窓外側にリモコン受光部２、マイコン、モータードライブ回路、モーター、充電池を組込んだユニット４と、太陽電池５、遮光板６があり、これらは天窓ブラインド本体７として一体としたもので、取り付けは天窓８の外側から上に乗せ、留め付ノブ３で固定するため取り付け取り外しが簡単にできる。リモコン１で部屋内部から開閉する天窓ブラインド本体７を天窓８に取り付けた実施形態図である。
【０００８】
図２に示す如く、リモコン１は部屋内部にあり、リモコン１から開閉信号を送信し、受信は天窓８の天窓ガラス８ａ越しにリモコン受光部２が受信することができる。受信された開閉信号はマイコン４ａで確認されモータードライブ回路４ｂを通してモーター４ｄを制御しカム９を通じて遮光板６の開閉を行う。遮光板６の制御および開閉に必要な電気は蓄電池４ｃと太陽電池５で行うことも示した天窓ブラインド構成図である。
【０００９】
図３に示す如く、遮光板６を閉じる場合、モーター４ｄからのカム９を回転させ開閉リンク棒１０を通じて行う。遮光板リンク棒１１は全ての遮光板６に連結され遮光板６が同時に閉じることを示す天窓ブラインドを閉じた状態図である。
【００１０】
図４に示す如く、遮光板６を開く場合、モーター４ｄからのカム９を回転させ開閉リンク棒１０を通じて行う。遮光板リンク棒１１は全ての遮光板６に連結され遮光板６が同時に開くことを示す天窓ブラインドを開いた状態図である。
遮光板６の開閉動作はカム９の回転方向を逆にすることで行えるが回転方向を一定方向にして、遮光板６を開閉することもできる。
【産業上の利用可能性】
【００１１】
本考案の天窓ブラインドは、リモコンで容易に開閉でき視覚的にも良好で、夏の太陽熱は部屋に入る前に遮断できるので冷房器機の省エネになり、外部電源を必要としないのでその取り付け、取り扱いも簡単になる。
【図面の簡単な説明】
【００１２】
【図１】実施形態図である。
【図２】天窓ブラインド構成図である。
【図３】天窓ブラインドを閉じた状態図である。
【図４】天窓ブラインドを開いた状態図である。
【符号の説明】
【００１３】
１    リモコン
２    リモコン受光部
３    留め付ノブ
４    ユニット
４ａ  マイコン
４ｂ  モータードライブ回路
４ｃ  蓄電池
４ｄ  モーター
５    太陽電池
６    遮光板
７    天窓ブラインド本体
８    天窓
８ａ  天窓ガラス
９    カム
１０  開閉リンク棒
１１  遮光板リンク棒
【図１】
0003134385.tif 000003
【図２】
0003134385.tif 000004
【図３】
0003134385.tif 000005
【図４】
0003134385.tif 000006
【手続補正書】
【提出日】平成19年6月18日(2007.6.18)
【手続補正１】
【補正対象書類名】実用新案登録請求の範囲
【補正対象項目名】全文
【補正方法】変更
【補正の内容】
【実用新案登録請求の範囲】
【請求項１】
天窓屋外部の天窓枠を囲む大きさ及び形状に形成した枠体の内側に複数の羽目板状をした遮光板が開閉自在に取付けられた構造とし、屋外に設けられた太陽電池と蓄電池によりなる電源と、この電源によって駆動され、前記遮光板を開閉するモーターとモーターのオン、オフを制御するリモコンとからなる天窓ブラインド。
【手続補正２】
【補正対象書類名】明細書
【補正対象項目名】全文
【補正方法】変更
【補正の内容】
【考案の詳細な説明】
【技術分野】
【０００１】
本考案は天窓ブラインドに関するものである。
【背景技術】
【０００２】
従来からの型の天窓ブラインドは、手動による開閉ではブラインドを部屋内部に設置する必要があり、その開閉操作も手動操作のための棒や紐が必要であるため視覚的にも好ましいものではなかった。さらにブラインドを部屋内部に設置した場合、夏季の日中においては、ブラインドの遮光板を閉じた状態であっても、太陽熱は部屋に入ることになり、ブラインドの遮光板が部屋の中で熱せられ部屋を暖めることになり省エネ効果が乏しくなるという欠点があった。一方、自動によるブラインドの開閉では外部駆動電源が必要であるため、電源工事が必要となる場合がありその設置が高価になるという欠点があった。
【特許文献１】実開平０６−０５９５１６号公報
【考案の開示】
【考案が解決しようとする課題】
【０００３】
本考案の天窓ブラインドは、天窓の屋外に設置でき、天窓ブラインドの遮光板の開閉は部屋内部からリモコンにより容易に開閉できる、遮光板を駆動するモーターの電源および、制御の電源は、外部電源を必要としない低コストで省エネ効果が期待できる装置を提供することにある。
【課題を解決するための手段】
【０００４】
本考案は上記の目的を達成する為に、天窓の屋外に設置された天窓ブラインドの遮光板の開閉を駆動するモーターのオン、オフ制御をリモコンで行い、遮光板を開閉するモーター駆動に使用する電気は太陽電池と蓄電池によりできることを特徴とする。
【考案の効果】
【０００５】
本考案の天窓ブラインドは遮光板の開閉を駆動するモーターのオン、オフをリモコンにより制御するため、遮光板の開閉操作は容易であり、遮光板の開閉を操作するために必要な棒や紐がなく視覚的にも優れている。また、天窓ブラインドは屋外に設置されるため、天窓からの夏季の太陽熱は部屋に入る前に遮光板により遮断できるので冷房器機の省エネ効果に優れている。さらに、遮光板の開閉を駆動するモーターに使用する電源は、商用電源などの外部電源を必要としないので取り付けも簡単になる。
【考案を実施するための最良の形態】
【０００６】
天窓の屋外に設置された天窓ブラインド本体は遮光板および、遮光板の開閉動作をおこなうために必要な、モーター、モータードライブ回路、マイコン、リモコン受光部、また、それらの駆動に必要な電気を得るための充電池、太陽電池を組み込んだ一体構造とする。
天窓ブラインド本体は上記の一体構造であるため、天窓ブラインド本体を天窓の屋外に取り付け、取り外しをすることが容易にできる。また、天窓ブラインドの遮光板の開閉を駆動するモーターのオン、オフはリモコンにより部屋内部から行うことができる。
【実施例】
【０００７】
以下、添付図面に従って一実施例を説明する。図１に示す如く、天窓ブラインド本体１に複数の羽目板状をした遮光板２が付き、天窓ブラインド本体１に取り付けられたユニット３は、遮光板２を駆動するモーター、モータードライブ回路、モーターの動作を制御するマイコン、これらに必要な電気を供給する充電池を組込んだものである、さらに、ブラインド本体１には太陽電池４が取り付けられ、日照時にモーターを駆動および充電池を充電する。また、リモコン受光部５も天窓ブラインド本体１に備えられる。このブラインド
本体１は、屋根の上方へわずかに枠状に張り出した天窓６に上側からかぶせるように取り付け、留め付ノブ７で固定するため、取り付け取り外しが簡単にできる。リモコン８で部屋内部から遮光板２の開閉を行うユニット３と太陽電池４、リモコン受光部５からなる天窓ブラインド本体１を天窓６に取り付けた本考案の天窓ブラインドを天窓部に設置した実施形態図である。
【０００８】
図２に示す如く、リモコン８は部屋内部にあり、リモコン８から屋外に設置された天窓ブラインドの羽目板状の遮光板２を開閉する信号を送信する。受信は天窓６の天窓ガラス６ａ越しにリモコン受光部５が受信することができる。受信された開閉信号はマイコン３ａで確認され、モータードライブ回路３ｂを通してモーター３ｄを制御しカム９を通じて遮光板２の開閉を行う。遮光板２の開閉を駆動するモーターに必要な電気および、そのモーターを制御するために必要な電気は蓄電池３ｃと太陽電池４で行うことを示した天窓ブラインドの天窓設置前の構成略図である。
【０００９】
図３に示す如く、羽目板状の遮光板２を閉じる場合、モーター３ｄを駆動しモーター３ｄのモーター軸に連結されたカム９を回転させ開閉リンク棒１０を通じて行う。遮光板リンク棒１１は全ての遮光板２に連結され遮光板２が同時に閉じることを示す天窓ブラインドの遮光板を閉じた状態図である。
【００１０】
図４に示す如く、羽目板状の遮光板２を開く場合、モーター３ｄを駆動しモーター３ｄのモーター軸に連結されたカム９を回転させ開閉リンク棒１０を通じて行う。遮光板リンク棒１１は、全ての遮光板２に連結され遮光板２が同時に開くことを示す天窓ブラインドの遮光板を開いた状態図である。
羽目板状の遮光板２の開閉動作はカム９の回転方向を逆にすることで行えるが回転方向を一定方向にして、遮光板２を開閉することもできる。
【図面の簡単な説明】
【００１１】
【図１】本考案の天窓ブラインドを天窓部に設置した実施形態図である。
【図２】天窓ブラインドの天窓設置前の構成略図である。
【図３】天窓ブラインドの遮光板を閉じた状態図である。
【図４】天窓ブラインドの遮光板を開いた状態図である。
【符号の説明】
【００１２】
１    天窓ブラインド本体
２    遮光板
３    ユニット
３ａ  マイコン
３ｂ  モータードライブ回路
３ｃ  蓄電池
３ｄ  モーター
４    太陽電池
５    リモコン受光部
６    天窓
７    留め付ノブ
８    リモコン
９    カム
１０  開閉リンク棒
１１  遮光板リンク棒
【手続補正３】
【補正対象書類名】図面
【補正対象項目名】全図
【補正方法】変更
【補正の内容】
【図１】
0003134385.tif 000007
【図２】
0003134385.tif 000008
【図３】
0003134385.tif 000009
【図４】
0003134385.tif 000010